(57)【要約】【課題】原稿押さえ開閉検知による省電力状態からの復帰の場合には原稿の大きさが検知されるようにして利用者に煩わしい作業を発生させることなく省電力状態から復帰できる画像読取装置、画像形成装置及びプログラムを提供する。【解決手段】原稿押さえと、原稿押さえの開閉を検知する開閉検知部と、光源を搭載した走査体を移動させて光走査を行い、光電変換素子により対象物からの反射光を受光し画素濃度を表す信号を出力して、対象物の画像を読み取る画像読取部と、画像を補正する基準となる白基準板と、省電力状態と待機状態とを切り替える電源管理部と、原稿押さえの開閉検知により待機状態に復帰する場合には、原稿の画像を読み取って原稿の大きさを検知し、当該検知後に白基準板の画像を読み取って補正値を取得するように各部を制御する制御部と、を備える画像読取装置とする。【選択図】図８
2014022997.tif 000002
【特許請求の範囲】
【請求項１】
原稿押さえと、
原稿押さえの開閉を検知する開閉検知部と、
光源を搭載した走査体を移動させて光走査を行い、光電変換素子により対象物からの反射光を受光し画素濃度を表す信号を出力して、対象物の画像を読み取る画像読取部と、
画像を補正する基準となる白基準板と、
省電力状態と待機状態とを切り替える電源管理部と、
原稿押さえの開閉検知により待機状態に復帰する場合には、原稿の画像を読み取って原稿の大きさを検知し、当該検知後に白基準板の画像を読み取って補正値を取得するように各部を制御する制御部と、
を備える画像読取装置。
【請求項２】
前記制御部が、原稿押さえの開閉検知以外の要因により待機状態に復帰する場合には、白基準板の画像を読み取り補正値を取得するように各部を制御する請求項１に記載の画像読取装置。
【請求項３】
前記制御部が、原稿押さえの開閉検知により待機状態に復帰する場合に、予め設定されたゲイン調整値に基づいて原稿の大きさを検知する請求項１または請求項２に記載の画像読取装置。
【請求項４】
前記制御部が、読み取った原稿の画像を平滑化処理した後に、原稿の大きさを検知する請求項１から請求項３までのいずれか１項に記載の画像読取装置。
【請求項５】
前記制御部が、走査体の移動方向と交差する第１方向に原稿の画像を読み取り、第１方向における濃度変化を求め、濃度変化量が予め設定された閾値以上となる位置を原稿端部の位置として検出し、原稿端部の位置に基づいて原稿の大きさを検知する請求項１から請求項４までのいずれか１項に記載の画像読取装置。
【請求項６】
第１方向に白基準板の画像を読み取った場合の濃度変化に基づいて、白レベルが高い領域の閾値が白レベルが低い領域の閾値より大きくなるように複数の閾値を設定する請求項５に記載の画像読取装置。
【請求項７】
前記制御部が、前記走査体を基準板下に移動し、移動後に省電力状態に移行するように各部を制御する請求項１から請求項６までのいずれか１項に記載の画像読取装置。
【請求項８】
前記制御部が、原稿押さえが開状態で省電力状態に移行する場合には、前記走査体を原稿読取位置に移動してから省電力状態に移行するように各部を制御すると共に、原稿押さえが閉状態で省電力状態に移行する場合には、前記走査体を基準板下に移動してから省電力状態に移行するように各部を制御する請求項１から請求項７までのいずれか１項に記載の画像読取装置。
【請求項９】
請求項１から請求項８までのいずれか１項に記載の画像読取装置を備えた画像形成装置。
【請求項１０】
コンピュータを、
省電力状態から待機状態に復帰する復帰指示を受け付ける受付手段、
原稿押さえの開閉検知により待機状態に復帰する復帰指示の場合には、原稿の画像を読み取って原稿の大きさを検知する原稿検知手段、
原稿の大きさを検知した後に白基準板の画像を読み取って補正値を取得する取得手段、
として機能させるためのプログラム。
【発明の詳細な説明】
【技術分野】
【０００１】
本発明は、画像読取装置、画像形成装置及びプログラムに関する。
【背景技術】
【０００２】
特許文献１には、ランプを搭載しかつ副走査方向に移動可能に支持された走査体を用いて原稿の画像を読み取る画像読取手段と、原稿の画像を読取可能なスタンバイ状態になってからの経過時間が所定時間に達したときに、自装置の状態を前記スタンバイ状態から省電力状態に移行する省電力制御手段と、前記省電力状態から前記スタンバイ状態に復帰するときに、前記画像読取手段で白基準板を読み取って所定の復帰処理を行う復帰処理手段と、前記省電力状態に移行するのに先立って前記走査体を前記白基準板の下に移動させる移動制御手段と、を備えることを特徴とする画像読取装置が開示されている。
【先行技術文献】
【特許文献】
【０００３】
【特許文献１】特開２００４−１０９６３９号公報
【発明の概要】
【発明が解決しようとする課題】
【０００４】
本発明の目的は、原稿押さえ開閉検知による省電力状態からの復帰以外の場合には復帰時間が維持されると共に、原稿押さえ開閉検知による省電力状態からの復帰の場合には原稿の大きさが検知されるようにして利用者に煩わしい作業を発生させることなく省電力状態から復帰できる画像読取装置、画像形成装置及びプログラムを提供することにある。
【課題を解決するための手段】
【０００５】
上記目的を達成するために請求項１に記載の発明は、原稿押さえと、原稿押さえの開閉を検知する開閉検知部と、光源を搭載した走査体を移動させて光走査を行い、光電変換素子により対象物からの反射光を受光し画素濃度を表す信号を出力して、対象物の画像を読み取る画像読取部と、画像を補正する基準となる白基準板と、省電力状態と待機状態とを切り替える電源管理部と、原稿押さえの開閉検知により待機状態に復帰する場合には、原稿の画像を読み取って原稿の大きさを検知し、当該検知後に白基準板の画像を読み取って補正値を取得するように各部を制御する制御部と、を備える画像読取装置である。
【０００６】
請求項２に記載の発明は、前記制御部が、原稿押さえの開閉検知以外の要因により待機状態に復帰する場合には、白基準板の画像を読み取り補正値を取得するように各部を制御する請求項１に記載の画像読取装置である。
【０００７】
請求項３に記載の発明は、前記制御部が、原稿押さえの開閉検知により待機状態に復帰する場合に、予め設定されたゲイン調整値に基づいて原稿の大きさを検知する請求項１または請求項２に記載の画像読取装置である。
【０００８】
請求項４に記載の発明は、前記制御部が、読み取った原稿の画像を平滑化処理した後に、原稿の大きさを検知する請求項１から請求項３までのいずれか１項に記載の画像読取装置である。
【０００９】
請求項５に記載の発明は、前記制御部が、走査体の移動方向と交差する第１方向に原稿の画像を読み取り、第１方向における濃度変化を求め、濃度変化量が予め設定された閾値以上となる位置を原稿端部の位置として検出し、原稿端部の位置に基づいて原稿の大きさを検知する請求項１から請求項４までのいずれか１項に記載の画像読取装置である。
【００１０】
請求項６に記載の発明は、第１方向に白基準板の画像を読み取った場合の濃度変化に基づいて、白レベルが高い領域の閾値が白レベルが低い領域の閾値より大きくなるように複数の閾値を設定する請求項５に記載の画像読取装置である。
【００１１】
請求項７に記載の発明は、前記制御部が、前記走査体を基準板下に移動し、移動後に省電力状態に移行するように各部を制御する請求項１から請求項６までのいずれか１項に記載の画像読取装置である。
【００１２】
請求項８に記載の発明は、前記制御部が、原稿押さえが開状態で省電力状態に移行する場合には、前記走査体を原稿読取位置に移動してから省電力状態に移行するように各部を制御すると共に、原稿押さえが閉状態で省電力状態に移行する場合には、前記走査体を基準板下に移動してから省電力状態に移行するように各部を制御する請求項１から請求項７までのいずれか１項に記載の画像読取装置である。
【００１３】
請求項９に記載の発明は、請求項１から請求項８までのいずれか１項に記載の画像読取装置を備えた画像形成装置である。
【００１４】
請求項１０に記載の発明は、コンピュータを、省電力状態から待機状態に復帰する復帰指示を受け付ける受付手段、原稿押さえの開閉検知により待機状態に復帰する復帰指示の場合には、原稿の画像を読み取って原稿の大きさを検知する原稿検知手段、原稿の大きさを検知した後に白基準板の画像を読み取って補正値を取得する取得手段、として機能させるためのプログラムである。
【発明の効果】
【００１５】
請求項１、２に記載の発明によれば、原稿押さえ開閉検知による省電力状態からの復帰以外の場合には復帰時間が維持されると共に、原稿押さえ開閉検知による省電力状態からの復帰の場合には原稿の大きさが検知されるようにして利用者に煩わしい作業を発生させることなく省電力状態から復帰できる。
【００１６】
請求項３に記載の発明によれば、新たにゲイン調整値を取得することなく、予め設定されたゲイン調整値に基づいて原稿の大きさが検知される。
【００１７】
請求項４に記載の発明によれば、平滑化処理した画像に基づいて原稿の大きさが検知される。
【００１８】
請求項５に記載の発明によれば、原稿から読み取った画像に基づいて原稿の大きさが検知される。
【００１９】
請求項６に記載の発明によれば、本構成を備えない場合と比較して、光量分布のばらつきに拘わらず、原稿から読み取った画像に基づいて原稿の大きさが正確に検知される。
【００２０】
請求項７に記載の発明によれば、待機状態に復帰する要因に拘わらず、全体として復帰時間が短縮される。
【図面の簡単な説明】
【００２１】
【図１】本発明の実施の形態に係る画像形成装置の構成の一例を示す概略図である。
【図２】本発明の実施の形態に係る画像読取装置の構成の一例を示す概略図である。
【図３】図２に示す画像読取装置の原稿押さえが開いた状態を示す概略図である。
【図４】図２に示す画像読取装置の原稿台を示す平面図である。
【図５】本発明の実施の形態に係る画像形成装置の制御系の構成の一例を示すブロック図である。
【図６】図５に示す画像読取制御部の構成の一例を示すブロック図である。
【図７】本発明の第１の実施の形態で実行される「省電力状態移行処理」の手順を示すフローチャートである。
【図８】本発明の第１の実施の形態で実行される「待機状態復帰処理」の手順を示すフローチャートである。
【図９】本発明の第１の実施の形態で実行される「原稿サイズ検知処理」の手順を示すフローチャートである。
【図１０】白基準画像情報を示すグラフである。
【図１１】（Ａ）は光軸中心での濃度変化に対して設定される閾値を示すグラフである。（Ｂ）は端部での濃度変化に対して設定される閾値を示すグラフである。
【図１２】本発明の第２の実施の形態で実行される「省電力状態移行処理」の手順を示すフローチャートである。
【図１３】本発明の第２の実施の形態で実行される「待機状態復帰処理」の手順を示すフローチャートである。
【図１４】本発明の第３の実施の形態で実行される「省電力状態移行処理」の手順を示すフローチャートである。
【図１５】本発明の第３の実施の形態で実行される「待機状態復帰処理」の手順を示すフローチャートである。
【発明を実施するための形態】
【００２２】
以下、図面を参照して本発明の実施の形態の一例を詳細に説明する。
【００２３】
＜第１の実施の形態＞
（画像形成装置）
まず、画像形成装置の構成について説明する。
図１は本発明の実施の形態に係る画像形成装置の構成の一例を示す概略図である。図１に示すように、画像形成装置１０は、画像読取装置１００と画像読取装置１００が読み取った画像情報に基づいて画像形成を行う画像形成部１２とを有している。画像形成部１２は、シートが積載された状態で収納されるシート収納容器１６を有しており、シート収納容器１６からシート搬送路２０に供給されたシートに画像を形成する。本実施の形態では、画像形成部１２は電子写真方式により画像を形成する。
【００２４】
画像形成部１２は、画像形成部本体１４を有している。画像形成部本体１４内には、例えば感光体ドラム等の像保持体２２、像保持体２２を帯電する帯電器２４、帯電器２４により帯電された像保持体２２に潜像を形成する露光装置２６、露光装置２６により形成された像保持体２２上の潜像をトナーで可視化する現像装置２８、中間転写体として用いられる中間転写ベルト３０、像保持体２２上に形成されたトナー像を中間転写ベルト３０に転写する一次転写装置３２、及び像保持体２２に残ったトナーをクリーニングする感光体クリーナ３４が配置されている。
【００２５】
また、画像形成部本体１４内には、中間転写ベルト３０に転写されたトナー像をシートに転写する二次転写装置３８、シートに転写されたトナー像を定着する定着装置４０、及び中間転写ベルト３０をクリーニングする中間転写ベルトクリーナ４４が配置されている。画像形成部本体１４の正面側には、ユーザインターフェイスとして用いられる操作表示部３０２が配置されている。画像形成部本体１４の側面側には、画像形成がなされたシートが排出される排出部４２が配置されている。
【００２６】
露光装置２６は、例えばレーザ走査方式の露光装置であり、画像読取装置１００が有する後述する光電変換素子１３８（図２参照）で読み取った原稿の画像情報をレーザのオンオフ信号に変えて出力する。現像装置２８は、例えばロータリ式の現像装置であり、回転体の周囲に配置されたイエロー（Ｙ）、マゼンタ（Ｍ）、シアン（Ｃ）、黒（Ｋ）の４色の現像器３６ａ，３６ｂ，３６ｃ，３６ｄを有している。現像装置２８の回転体は、各色の現像器が像保持体２２に順次対峙するように回転する。
【００２７】
一次転写装置３２は、例えばコロトロンから構成されている。一次転写装置３２により４色のトナー像が中間転写ベルト３０に転写される。中間転写ベルト３０に転写されたトナー像は、二次転写装置３８によりシートに転写される。トナー像が転写されたシートは、定着装置４０に供給される。定着装置４０によりトナー像がシートに定着される。トナー像が定着されたシートは、排出部４２に排出される。中間転写ベルト３０に残ったトナーは、中間転写ベルトクリーナ４４により掻き落される。
【００２８】
操作表示部３０２は、スタートボタンやテンキー等の各種ボタン、設定画面等の各種画面を表示するためのタッチパネルなどを含んで構成されている。操作表示部３０２は、上記構成により、利用者の操作を受け付けると共に、利用者に各種情報を表示する。例えば、画像形成時には、単色画像の形成又は多色画像の形成の選択、画像の倍率、画質等の設定が行われる。また、画像読取時には、白黒読み取り又はカラー読み取りの選択、原稿読取領域、原稿を読み取る走査速度（倍率）、原稿搬送方法、原稿サイズ等の設定が行われる。
【００２９】
シート搬送路２０には、位置合わせロール４６が配置されている。位置合わせロール４６は、供給されたシートを一時停止させ、中間転写ベルト３０にトナー像が形成されるタイミングと同期してシートを二次転写装置３８にシートを供給するように制御される。
【００３０】
画像読取装置１００は、原稿Ｄが置かれる原稿台１０４と、原稿台１０４に対して開閉可能に設けられた原稿押さえ１１０とを有している。原稿台１０４は、例えばガラス等の光を透過する材料で構成された透過部材１０６有している。
【００３１】
原稿台１０４は、筐体として形成されている。原稿台１０４内には、透過部材１０６に置かれた原稿に光を照射し、原稿からの反射光に基づいて原稿の画像を読み取る読取部１３０が配置されている。また、原稿押さえ１１０内には、原稿Ｄを自動で搬送する原稿搬送装置１６０が搭載されている。画像読取装置１００は、原稿搬送装置１６０により搬送中の原稿Ｄの画像を流し読みする機能と、透過部材１０６上に置かれた原稿Ｄの画像を読み取る機能とを備えている。
【００３２】
また、本実施の形態では、画像形成装置１０は、画像形成装置の消費電力を節約する省電力機能を備えている。具体的には、画像形成装置１０は、読取部１３０を含む各部への電源供給状態を管理する電源管理部３００を有している（図６参照）。電源管理部３００は、後述する通り、装置の一部に電源が供給される「省電力状態」と装置全体に電源が供給される「待機状態」とを切り替える。
【００３３】
（画像読取装置）
次に、画像読取装置の構成について説明する。
図２は本発明の実施の形態に係る画像読取装置の構成の一例を示す概略図である。図３は、図２に示す画像読取装置の原稿押さえが開いた状態を示す概略図である。図２及び図３に示すように、画像読取装置１００は、軸１１６を備えたヒンジ部１１４を有している。ヒンジ部１１４によって原稿台１０４と原稿押さえ１１０とが連結されている。原稿押さえ１１０は、軸１１６を中心に回転して、原稿台１０４に対して開閉する。原稿押さえ１１０が閉じられた状態では、図２に示すように透過部材１０６が覆われた状態となる。
【００３４】
また、画像読取装置１００には、原稿押さえ１１０の開閉状態を検知する開閉検知部３０４と、原稿押さえ１１０の開閉角度を検知する角度検知部３０５とが取り付けられている。開閉検知部３０４及び角度検知部３０５によれば、原稿押さえ部材が大きく開いている状態（開状態）、原稿押さえが閉じかけている状態（閉じかけ状態）、原稿押さえが完全に閉じている状態（閉状態）の少なくとも３つの状態が検知される。
【００３５】
原稿搬送装置１６０は、読取前の原稿が置かれる原稿台１６２と、原稿を搬送する。原稿搬送路１６４と、画像を読み取った後の原稿が排出される排出台１６６とを有する。原稿搬送路１６４は、主搬送部１６８と反転部１７０とを有する。主搬送部１６８はＵ字状に形成されている。搬送装置を構成する取り込みロール１７２、送り出しロール１７４、位置合わせ前ロール１７６、位置合わせロール１７８、送り出しロール１８０、及び排出ロール１８２が、主搬送部１６８に沿って原稿搬送方向上流側から順に配置されている。
【００３６】
取り込みロール１７２は、原稿送り時に下降し、原稿台１６２に置かれた原稿を取り込む。送り出しロール１７４は、取り込みロール１７２から供給された原稿をさばき、最上部にある原稿を位置合わせ前ロール１７６に供給する。位置合わせ前ロール１７６は、送り出しロール１７４から供給された原稿を一時停止させてループを形成し、斜行補正をするようになっている。位置合わせロール１７８は、位置合わせ前ロール１７６から送られた原稿を一時停止させ、読み取りタイミングを調整する。原稿を排出する場合は、排出ロール１８２を正転させ、送り出しロール１８０及び排出ロール１８２を介して排出台１６６へ原稿を排出する。
【００３７】
反転部１７０は、一端が送り出しロール１８０と排出ロール１８２との間で主搬送部１６８に接続され、他端が位置合わせ前ロール１７６の上流側で主搬送部１６８に接続されている。反転部１７０の一端側には反転ゲート１８４が設けられている。原稿を反転させる場合は、原稿の後端が排出ロール１８２まで到達した段階で排出ロール１８２を逆転させ、反転ゲート１８４が下方に位置することで原稿を反転部１７０に導くようにする。反転ゲート１８４は、原稿の押圧力で開き、反転ゲート１８４の自重で閉じるようにしてもよい。また、反転ゲート１８４を開閉する駆動部を設けてもよい。
【００３８】
また、主搬送部１６８に沿って、搬送中の原稿を流し読みする際に原稿を読み取る位置である搬送原稿読取位置１８６が設けられている。搬送原稿読取位置１８６は、位置合わせロール１７８と送り出しロール１８０との間に設けられ、原稿搬送装置１６０により供給された原稿の画像を読み取るように構成されている。
【００３９】
読取部１３０は、第１の走査体としてのフルレートキャリッジ１３２、第２の走査体としてのハーフレートキャリッジ１３４、レンズ１３６及び光電変換素子１３８を有する。フルレートキャリッジ１３２は、光源１４０と、第１ミラー１４２とを有している。フルレートキャリッジ１３２は、図２に矢印で示すように、原稿の走査方向（副走査方向）を移動方向として、原稿台１０４内を副走査方向に、フルストロークの移動をするように構成されている。
【００４０】
光源１４０は、原稿の搬送方向と交差する第１方向（主走査方向）に延びるランプ等である。光源１４０の主走査方向の走査幅は予め設定されている。ハーフレートキャリッジ１３４は、第２ミラー１４４及び第３ミラー１４６を有している。ハーフレートキャリッジ１３４は、原稿台１０４内を副走査方向に半ストロークの移動をするように構成されている。
【００４１】
上記の通り、ハーフレートキャリッジ１３４は、フルレートキャリッジ１３２に追随して移動する。以下では、フルレートキャリッジ１３２及びハーフレートキャリッジ１３４を「キャリッジ１３２、１３４」と称する。読取部１３０は、キャリッジの位置を検出するキャリッジ検知部３０６を備えている（図６参照）。なお、ここでキャリッジの位置とは、光源１４０を搭載したフルレートキャリッジ１３２の位置である。
【００４２】
光源１４０は、フルレートキャリッジ１３２及びハーフレートキャリッジ１３４の移動範囲の上方に設けられた透過部材１０６上に置かれた原稿、又は搬送原稿読取位置１８６を通る原稿などに対して光を照射する。レンズ１３６は、原稿で反射された反射光を、第１ミラー１４２、第２ミラー１４４及び第３ミラー１４６を介して受光して、光電変換素子１３８に結像させる。
【００４３】
光電変換素子１３８は、レンズ１３６による反射光の結像位置で反射光を受光し、受光光量に対応するアナログの電気信号を、後述する処理回路に出力する。光電変換素子１３８は、例えば、ＲＧＢ各色のフィルタ（原色フィルタ）が設けられたフォトダイオードによって画素単位のＲＧＢ各色の受光光量に対応するアナログの電気信号を出力する３ラインカラーＣＣＤ等としてもよい。
【００４４】
搬送原稿読取位置１８６と透過部材１０６との間には、光源１４０が照射した光を反射する第１の白基準板１５０が設けられている。第１の白基準板１５０は、光を反射する反射面が基準となる白色にされており、例えば画像形成装置１０の電源投入時に、光源１４０が第１の白基準板に対して照射した光の反射光（初期の基準光量光）を、第１ミラー１４２、第２ミラー１４４、第３ミラー１４６及びレンズ１３６を介して光電変換素子１３８が受光されるように構成されている。
【００４５】
図４は図２に示す画像読取装置の原稿台を示す平面図である。図４には原稿押さえ１１０を開いた状態の原稿台１０４が示されている。図４に示すように、搬送原稿読取位置１８６の両端には、光源１４０が照射した光を反射する第２の白基準板１５２が、それぞれ設けられている。第２の白基準板１５２は、光を反射する反射面が基準となる白色にされており、例えば画像読取装置１００が原稿の画像を流し読みすると共に、光源１４０が第２の白基準板１５２に対して照射した光の反射光（読取時の基準光量光）を、第１ミラー１４２、第２ミラー１４４、第３ミラー１４６及びレンズ１３６を介して光電変換素子１３８が受光されるように構成されている。
【００４６】
原稿台１０４の上向きの面には、上記の開閉検知部３０４が配置されている。開閉検知部３０４は、透過部材１０６の外側に配置されている。また、原稿台１０４の上向きの面には、利用者が原稿を透過部材１０６上に置く場合に、原稿の位置合わせに用いられるガイドが設けられている。例えば、Ａ４、Ｂ４、Ａ３等の原稿の大きさ、種類に応じて、原稿の位置合わせに用いられるガイドが、例えば印刷する等の方法で示されている。尚、図４中における二点鎖線は、Ａ４の原稿、Ｂ５の原稿、及びＡ３の原稿が、透過部材１０６に置かれた場合の原稿の位置を示している。
【００４７】
以上のように構成された画像読取装置１００では、透過部材１０６上に置かれた原稿の画像を読み取る場合には、原稿に向けて光源１４０が光を照射しつつ、フルレートキャリッジ１３２及びハーフレートキャリッジ１３４の各々が副走査方向に移動することにより、原稿全面に対応する反射光を光電変換素子１３８が順次受光する。また、画像読取装置１００が原稿の画像を流し読みする場合には、搬送原稿読取位置１８６において、搬送される原稿による反射光を光電変換素子１３８が原稿ごとに受光する。
【００４８】
また、上記のキャリッジ検知部３０６（図６参照）は、キャリッジが第１の白基準板１５０の下から原稿読取位置ＰＨに移動する際に、読取開始位置ＰＳを通過したことを検知する。例えば、読取部１３０の読取りライン位置が、読取開始位置ＰＳを通過して透過部材１０６が配置された読取領域に進出した時点で、キャリッジ検知部３０６の検知信号がオフ状態からオン状態に切り替わる。逆に、読取部１３０の読取りライン位置が、読取開始位置ＰＳを通過して第１の白基準板１５０の下に進出した時点で、キャリッジ検知部３０６の検知信号がオン状態からオフ状態に切り替わる。以上の通り、キャリッジ検知部３０６の検知信号により、キャリッジの位置が認識される。
【００４９】
（画像形成装置の制御系）
次に、画像形成装置の制御系の構成について説明する。
図５は本発明の実施の形態に係る画像形成装置の制御系の構成の一例を示すブロック図である。図５に示すように、本実施の形態に係る画像形成装置１０は、制御部２００、上記の操作表示部３０２、上記の読取部１３０の動作を制御する画像読取制御部２０２、上記の画像形成部１２の動作を制御する画像形成制御部２０４、有線又は無線の通信回線を介して外部装置と通信を行うためのインターフェースである通信部２０６、及びハードディスク等の記憶装置である記憶部２０８を備えている。記憶部２０８には、各種データ、制御プログラム等が記憶される。
【００５０】
制御部２００は、装置全体の制御及び各種演算を行うコンピュータとして構成されている。即ち、制御部２００は、ＣＰＵ（中央処理装置;  Central Processing Unit）２００Ａ、各種プログラムを記憶したＲＯＭ（Read Only Memory）２００Ｂ、プログラムの実行時にワークエリアとして使用されるＲＡＭ（Random Access Memory）２００Ｃ、各種情報を記憶する不揮発性メモリ２００Ｄ、及び入出力インターフェース（Ｉ／Ｏ）２００Ｅを備えている。ＣＰＵ２００Ａ、ＲＯＭ２００Ｂ、ＲＡＭ２００Ｃ、不揮発性メモリ２００Ｄ、及びＩ／Ｏ２００Ｅの各々は、バス２００Ｆを介して接続されている。
【００５１】
操作表示部３０２、画像読取制御部２０２、画像形成制御部２０４、通信部２０６、及び記憶部２０８の各部は、制御部２００のＩ／Ｏ２００Ｅに接続されている。制御部２００は、操作表示部３０２、画像読取制御部２０２、画像形成制御部２０４、通信部２０６、及び記憶部２０８の各部を制御する。
【００５２】
なお、制御部２００には、各種ドライブが接続されていてもよい。各種ドライブは、フレキシブルディスク、光磁気ディスク、ＣＤ−ＲＯＭ、ＵＳＢメモリなどのコンピュータ読み取り可能な可搬性の記録媒体からデータを読み込んだり、記録媒体に対してデータを書き込んだりする装置である。各種ドライブを備える場合には、可搬性の記録媒体に制御プログラムを記録しておいて、これを対応するドライブで読み込んで実行してもよい。
【００５３】
（画像読取制御部）
ここで、画像読取制御部２０２の詳細な構成について説明する。
図６は図５に示す画像読取制御部の構成の一例を示すブロック図である。図６に示すように、画像読取制御部２０２は、制御部２１０、アナログ処理回路２２０、Ａ／Ｄ変換回路２３０、画像処理回路２４０、上記の光電変換素子１３８を駆動する駆動回路２５０、キャリッジ１３２、１３４を駆動する駆動回路２６０、及び光源１４０を駆動する駆動回路２７０を備えている。
【００５４】
制御部２１０は、ＣＰＵ（中央処理装置;  Central Processing Unit）２１０Ａ、各種プログラムを記憶したＲＯＭ（Read Only Memory）２１０Ｂ、プログラムの実行時にワークエリアとして使用されるＲＡＭ（Random Access Memory）２１０Ｃ、各種情報を記憶する不揮発性メモリ２１０Ｄ、及び入出力インターフェース（Ｉ／Ｏ）２１０Ｅを備えている。ＣＰＵ２１０Ａ、ＲＯＭ２１０Ｂ、ＲＡＭ２１０Ｃ、不揮発性メモリ２１０Ｄ、及びＩ／Ｏ２１０Ｅの各々は、バス２１０Ｆを介して接続されている。
【００５５】
本実施の形態では、後述する「省電力状態移行処理」及び「待機状態復帰処理」を含む制御プログラムが、制御部２１０のＲＯＭ２１０Ｂに記憶されている。これらの制御プログラムは、制御部２１０のＣＰＵ２１０Ａにより読み出されて実行される。
【００５６】
アナログ処理回路２２０は、光電変換素子１３８から供給された画像情報を表すアナログ信号に対し、各種の処理を行う回路である。本実施の形態では、アナログ処理回路２２０は、自動利得制御（オートゲインコントロール：ＡＧＣ）回路２２２及び自動オフセット制御（オートオフセットコントロール：ＡＯＣ）回路２２４を含んで構成されている。
【００５７】
ＡＧＣ回路２２２は、白基準板の画像を読み取ったときの光電変換素子１３８の出力に基づいて、光電変換素子１３８の出力レベルを調整するためのゲイン調整値を取得し、取得されたゲイン調整値をＡＧＣ回路２２２のレジスタ等に設定する。そして、原稿の画像を読み取ったときの画像情報を表すアナログ信号に対して、設定されたゲイン調整値に基づいてオートゲインコントロールを行う。本実施の形態では、設定されたゲイン調整値を、制御部２１０の不揮発性メモリ２１０Ｄに記憶しておいて、次回以降のオートゲインコントロール時に、設定値として使用する。
【００５８】
また、ＡＯＣ回路２２４は、白基準板の画像を読み取ったときの光電変換素子１３８の出力に基づいて、光電変換素子１３８の暗出力のばらつきを調整するためのオフセット調整値を取得して、取得されたオフセット調整値をＡＯＣ回路２２４のレジスタ等に設定する。そして、原稿の画像を読み取ったときの画像情報を表すアナログ信号に対して、設定されたオフセット調整値に基づいてオートオフセットコントロールを行う。本実施の形態では、設定されたオフセット調整値を、制御部２１０の不揮発性メモリ２１０Ｄに記憶しておいて、次回以降のオートオフセットコントロール時に、設定値として使用する。
【００５９】
Ａ／Ｄ変換回路２３０は、アナログ処理回路２２０から供給された処理後のアナログ信号をディジタル信号に変換して、ディジタルの画像情報を画像処理回路２４０に供給する回路である。
【００６０】
画像処理回路２４０は、Ａ／Ｄ変換回路２３０から供給された画像情報に対し、各種の画像処理を行う回路である。本実施の形態では、画像処理回路２４０は、シェーディング補正回路２４２を含んで構成されている。
【００６１】
シェーディング補正回路２４２は、白基準板の画像を読み取って取得された「白基準画像情報」に基づいて、光電変換素子１３８の画素感度のばらつきや光量分布のばらつきを補正するための１ライン分のシェーディング補正値を演算し、演算したシェーディング補正値を制御部２１０の不揮発性メモリ２１０Ｄに記憶しておく。そして、原稿の画像を読み取ったときのディジタルの画像情報に対して、記憶されたシェーディング補正値に基づいてシェーディング補正を行う。
【００６２】
ここで「白基準画像情報」とは、白基準板の画像を読み取ったときの画像情報を表すアナログ信号に対して、オートゲインコントロール及びオートオフセットコントロールの信号処理を行い、処理後のアナログ信号をディジタル信号に変換して得られたディジタルの画像情報である。
【００６３】
アナログ処理回路２２０、Ａ／Ｄ変換回路２３０、画像処理回路２４０、駆動回路２５０、駆動回路２６０、及び駆動回路２７０の各部は、制御部２１０のＩ／Ｏ２１０Ｅに接続されている。制御部２１０は、アナログ処理回路２２０、Ａ／Ｄ変換回路２３０、画像処理回路２４０、駆動回路２５０、駆動回路２６０、及び駆動回路２７０の各部を制御する。また、上記の電源回路部３００、操作表示部３０２、開閉検知部３０４、角度検知部３０５、及びキャリッジ検知部３０６の各部も、制御部２１０のＩ／Ｏ２１０Ｅに接続されている。制御部２１０は、電源回路部３００、操作表示部３０２、開閉検知部３０４、角度検知部３０５、及びキャリッジ検知部３０６の各部と、Ｉ／Ｏ２１０Ｅを介して情報の授受を行う。
【００６４】
（省電力機能）
ここで、本実施の形態の画像形成装置の省電力機能について説明する。
省電力機能を備えた画像形成装置１０の読取部１３０では、装置の電源投入後の立ち上げ動作が終わると、原稿の画像を読取可能な待機状態となる。待機状態にあるときに、予め設定された時間にわたって装置が使用されない状態が継続すると、省電力状態への移行が指示されて省電力状態に移行する。待機状態では読取部１３０を含む画像形成装置１０の全体に電源が供給されるが、省電力状態では画像形成装置１０の一部にしか電源が供給されない。例えば、操作表示部３０２にのみ電源が供給される。画像形成装置１０の予め定めた箇所への電力供給を停止することにより、電力の消費が抑えられる。
【００６５】
省電力状態に移行した後に、原稿押さえ１１０が開閉操作されると、開閉検知部３０４で原稿押さえ１１０の開閉が検知されて、待機状態への復帰が指示される。また、省電力状態に移行した後に、原稿搬送装置１６０の原稿台１６２に原稿が置かれると、原稿検知部（図示せず）で原稿が検知されて、待機状態への復帰が指示される。また、省電力状態に移行した後に、省電力解除ボタン（図示せず）が押下されると、待機状態への復帰が指示される。なお、待機状態への復帰要因は例示であり、他の要因により待機状態への復帰が指示されてもよい。例えば、外部からの信号を受信した場合に、待機状態への復帰を指示してもよい。
【００６６】
読取部１３０の動作を制御する画像読取制御部２０２は、画像形成装置１０の制御部２００から省電力状態への移行が指示されると、予め定めた移行処理を実行して、省電力状態に移行する。また、画像読取制御部２０２は、画像形成装置１０の制御部２００から待機状態への復帰が指示されると、予め定めた復帰処理を実行して、待機状態に復帰する。以下、「省電力状態移行処理」及び「待機状態復帰処理」について詳しく説明する。
【００６７】
（省電力状態への移行）
次に、省電力状態への移行動作について説明する。
図７は本発明の第１の実施の形態で実行される「省電力状態移行処理」の手順を示すフローチャートである。省電力状態移行処理は、制御部２１０のＣＰＵ２１０Ａにより実行される。省電力状態移行処理は、待機状態となった後に開始される。
【００６８】
まず、ステップ１００で、画像形成装置１０の制御部２００から省電力状態への移行が指示されたか否かを判定する。省電力状態への移行が指示された場合には、ステップ１０２に進む。省電力状態への移行が指示されるまで、ステップ１００の判定を繰り返す。次に、ステッ１０２で、駆動回路２６０を制御してキャリッジを原稿読取位置ＰＨに移動させる。次に、ステップ１０４で、画像形成装置１０の制御部２００に移行準備完了を通知して、ルーチンを終了する。
【００６９】
（待機状態への復帰）
次に、待機状態への復帰動作について説明する。
図８は本発明の第１の実施の形態で実行される「待機状態復帰処理」の手順を示すフローチャートである。待機状態復帰処理は、制御部２１０のＣＰＵ２１０Ａにより実行される。待機状態復帰処理は、省電力状態となった後に開始される。
【００７０】
まず、ステップ２００で、画像形成装置１０の制御部２００から待機状態への復帰が指示されたか否かを判定する。待機状態への復帰が指示された場合には、ステップ２０２に進む。待機状態への復帰が指示されるまで、ステップ２００の判定を繰り返す。次に、ステッ２０２で、原稿押さえの開閉を検知する開閉検知部３０４から検知信号を取得したか否かを判定する。
【００７１】
開閉検知部３０４から検知信号を取得した場合には、ステップ２０４に進む。開閉検知部３０４から検知信号を取得していない場合には、ステップ２１０に進む。即ち、開閉検知部３０４から検知信号を取得していない場合には、原稿押さえの開閉検知以外の要因による復帰であるため、原稿サイズ検知は不要である。従って、ステップ２０４からステップ２０８までの手順は実施せずに、ステップ２１０に進むのである。
【００７２】
ステップ２０４で、前回のゲイン調整値をＡＧＣ回路２２２に設定し、次のステップ２０６で、前回のオフセット調整値をＡＯＣ回路２２４に設定する。次に、ステップ２０８で、原稿の大きさを検知する「原稿サイズ検知処理」を実行する。なお、原稿サイズ検知処理については後述する。原稿サイズ検知処理が終了すると、次のステップ２１０に進む。
【００７３】
次に、ステップ２１０で、駆動回路２６０を制御してキャリッジを白基準板の下に移動させる。次に、ステップ２１２で、駆動回路２７０を制御して光源を点灯する。次に、ステップ２１４で、白基準板の画像を読み取ってゲイン調整値を取得し、ＡＧＣ回路２２２に設定する。次に、ステップ２１６で、駆動回路２７０を制御して光源を消灯する。次に、ステップ２１８で、白基準板の画像を読み取ってオフセット調整値を取得し、ＡＯＣ回路２２４に設定する。
【００７４】
次に、ステップ２２０で、駆動回路２７０を制御して光源を点灯する。次に、ステップ２２２で、白基準画像情報を取得する。次に、ステップ２２４で、白基準画像情報に基づいて、シェーディング補正値を取得する。次に、ステップ２２６で、キャリッジを原稿読取位置ＰＨに移動する。次に、ステップ２２８で、復帰準備完了を画像形成装置１０の制御部２００に通知して、ルーチンを終了する。
【００７５】
（原稿サイズ検知処理）
次に、原稿サイズ検知処理について説明する。図９は本発明の第１の実施の形態で実行される「原稿サイズ検知処理」の手順を示すフローチャートである。まず、ステップ３００で、開閉検知部３０４及び角度検知部３０５からの検知信号に基づいて原稿押さえが閉じかけ状態か否かを判定する。原稿押さえが閉じかけ状態である場合には、ステップ３０２に進む。原稿押さえが閉じかけ状態になるまで、ステップ３００の判定を繰り返す。次に、ステップ３０２で、駆動回路２７０を制御して光源を一時的に点灯する。次に、ステップ３０４で、原稿の画像を読み取って主走査方向１ライン分の画像情報を取得する。
【００７６】
次に、ステップ３０６で、主走査方向１ライン分の画像情報について平滑化処理を行う。次に、ステップ３０８で、平滑化処理後の画像情報を用いて主走査方向での濃度変化を取得する。次に、ステップ３１０で、黒背景での原稿端部を検出する。原稿押さえが閉じかけ状態では背景が黒色で原稿が白色となるため、白色から黒色への濃度変化量が予め定めた閾値以上となる主走査方向の位置が原稿端部の位置である。黒背景で取得された原稿端部の位置をＲＡＭ２１０Ｃに保持する。
【００７７】
なお、本実施の形態では、上記の濃度変化量は以下の方法により取得する。まず第１の注目画素を含む予め定めた画素数の画素群の濃度平均値Ａを求め、次に第１の注目画素から予め定めた距離だけ離間した第２の注目画素を含む予め定めた画素数の画素群の濃度平均値Ｂを求めて、濃度平均値Ａと濃度平均値Ｂの差分の絶対値を濃度変化量として取得する。
【００７８】
次に、ステップ３１２で、開閉検知部３０４からの検知信号に基づいて原稿押さえが閉状態か否かを判定する。原稿押さえが閉状態である場合には、ステップ３１４に進む。原稿押さえが閉状態になるまで、ステップ３１２の判定を繰り返す。次に、ステップ３１４で、駆動回路２７０を制御して光源を一時的に点灯する。次に、ステップ３１６で、原稿の画像を読み取って主走査方向１ライン分の画像情報を取得する。
【００７９】
次に、ステップ３１８で、主走査方向１ライン分の画像情報について平滑化処理を行う。次に、ステップ３２０で、平滑化処理後の画像情報を用いて主走査方向での濃度変化を取得する。次に、ステップ３２２で、白背景での原稿端部を検出する。原稿押さえが閉状態では背景が白色で原稿が黒色となるため、黒色から白色への濃度変化量が予め定めた閾値以上となる主走査方向の位置が原稿端部の位置である。白背景で取得された原稿端部の位置をＲＡＭ２１０Ｃに保持する。
【００８０】
次に、ステップ３２４で、黒背景で取得された原稿端部の位置及び白背景で取得された原稿端部の位置に基づいて原稿の大きさを取得して、ルーチンを終了する。なお、本実施の形態では、黒背景で取得された原稿端部の位置及び白背景で取得された原稿端部の位置の両方を取得する例について説明したが、何れか一方を取得すればよい。また、両方を取得した場合には、黒背景で取得された原稿端部の位置と、白背景で取得された原稿端部の位置とが異なる場合が発生するため、何れの位置に基づいて原稿の大きさを取得するか、両者について優先順位を設定してもよい。
【００８１】
図１０は白基準画像情報を示すグラフである。図１０に示すように、主走査方向１ライン分の白基準画像情報は、光電変換素子の画素感度のばらつき、光量分布のばらつき、雑音等により、一定値とはならない。例えば、光量分布のばらつきという観点から見ると、主走査方向の走査幅の中心（光軸中心）での白レベルに比べて、主走査方向の走査幅の端部での白レベルは低くなる。平滑化処理により、主走査方向１ライン分の画像情報が平滑化され、光電変換素子の画素感度のばらつき、雑音に起因する濃度ばらつきが補正される。
【００８２】
また、図１１（Ａ）及び（Ｂ）に示すように、主走査方向１ライン分の白基準画像情報の光量分布のばらつきに起因して、光軸中心での原稿と背景との濃度差は大きくなり、端部での原稿と背景との濃度差は小さくなる。従って、濃度変化量に対する閾値は、光軸中心からの距離に応じて変更してもよい。即ち、白レベルの高い領域（光軸中心）では、白レベルの低い領域（端部）よりも小さくする等、主走査方向の位置に応じて（換言すれば、光量分布のばらつきに応じて）複数の閾値を設定してもよい。
【００８３】
例えば、光軸中心からの距離に応じて閾値を段階的に変化させてもよい。或いは、予め定めた基準値に光軸中心からの距離に応じた係数を乗算することで、光軸中心からの距離に応じて閾値を連続的に変化させてもよい。光軸中心からの距離に応じて（換言すれば、光量分布のばらつきに応じて）閾値を変化させることで、原稿端部の誤検出が低減されて原稿端部の検出精度が向上する。
【００８４】
＜第２の実施の形態＞
第２の実施の形態に係る画像形成装置及び読取部は、「省電力状態移行処理」及び「待機状態復帰処理」の手順以外は第１の実施の形態と同じ構成であるため、装置構成については説明を省略し、相違点である「省電力状態移行処理」及び「待機状態復帰処理」の手順を説明する。
【００８５】
（省電力状態への移行）
まず、省電力状態への移行動作について説明する。
図１２は本発明の第２の実施の形態で実行される「省電力状態移行処理」の手順を示すフローチャートである。省電力状態移行処理は、制御部２１０のＣＰＵ２１０Ａにより実行される。省電力状態移行処理は、待機状態となった後に開始される。
【００８６】
まず、ステップ４００で、画像形成装置１０の制御部２００から省電力状態への移行が指示されたか否かを判定する。省電力状態への移行が指示された場合には、ステップ４０２に進む。省電力状態への移行が指示されるまで、ステップ４００の判定を繰り返す。次に、ステッ４０２で、駆動回路２６０を制御してキャリッジを白基準板の下に移動させる。
【００８７】
次に、ステップ４０４で、駆動回路２７０を制御して光源を点灯する。次に、ステップ４０６で、白基準板の画像を読み取ってゲイン調整値を取得し、不揮発性メモリ２１０Ｄに記憶する。次に、ステップ４０８で、駆動回路２７０を制御して光源を消灯する。次に、ステップ４１０で、白基準板の画像を読み取ってオフセット調整値を取得し、不揮発性メモリ２１０Ｄに記憶する。次に、ステップ４１２で、移行準備完了を画像形成装置１０の制御部２００に通知して、ルーチンを終了する。
【００８８】
（待機状態への復帰）
次に、待機状態への復帰動作について説明する。
図１３は本発明の第２の実施の形態で実行される「待機状態復帰処理」の手順を示すフローチャートである。待機状態復帰処理は、制御部２１０のＣＰＵ２１０Ａにより実行される。待機状態復帰処理は、省電力状態となった後に開始される。
【００８９】
まず、ステップ５００で、画像形成装置１０の制御部２００から待機状態への復帰が指示されたか否かを判定する。待機状態への復帰が指示された場合には、ステップ５０２に進む。待機状態への復帰が指示されるまで、ステップ５００の判定を繰り返す。次に、ステッ５０２で、原稿押さえの開閉を検知する開閉検知部３０４から検知信号を取得したか否かを判定する。
【００９０】
開閉検知部３０４から検知信号を取得した場合には、ステップ５０４に進む。開閉検知部３０４から検知信号を取得していない場合には、ステップ５１４に進む。省電力状態への移行時にキャリッジを白基準板の下に移動させておいたので、ステップ５０４で、駆動回路２６０を制御してキャリッジを原稿読取位置に移動させる。次に、ステップ５０６で、予め記憶しておいたゲイン調整値をＡＧＣ回路２２２に設定し、次のステップ５０８で、予め記憶しておいたオフセット調整値をＡＯＣ回路２２４に設定する。
【００９１】
次に、ステップ５１０で、原稿の大きさを検知する「原稿サイズ検知処理」を実行する。なお、原稿サイズ検知処理については、第１の実施の形態と同じ手順であるため説明を省略する。原稿サイズ検知処理が終了すると、次のステップ５１２に進む。また、ステップ５１２からステップ５３０までの手順は、図８のステップ２１０からステップ２２８までの手順と同じであるため説明を省略する。第２の実施の形態では、ステップ５３０で、復帰準備完了を画像形成装置１０の制御部２００に通知して、ルーチンを終了する。
【００９２】
＜第３の実施の形態＞
第３の実施の形態に係る画像形成装置及び読取部は、「省電力状態移行処理」及び「待機状態復帰処理」の手順以外は第１の実施の形態と同じ構成であるため、装置構成については説明を省略し、相違点である「省電力状態移行処理」及び「待機状態復帰処理」の手順を説明する。
【００９３】
（省電力状態への移行）
まず、省電力状態への移行動作について説明する。
図１４は本発明の第３の実施の形態で実行される「省電力状態移行処理」の手順を示すフローチャートである。省電力状態移行処理は、制御部２１０のＣＰＵ２１０Ａにより実行される。省電力状態移行処理は、待機状態となった後に開始される。
【００９４】
まず、ステップ６００で、画像形成装置１０の制御部２００から省電力状態への移行が指示されたか否かを判定する。省電力状態への移行が指示された場合には、ステップ６０２に進む。省電力状態への移行が指示されるまで、ステップ６００の判定を繰り返す。次に、ステッ６０２で、開閉検知部３０４からの検知信号に基づいて原稿押さえが閉状態か否かを判定する。
【００９５】
原稿押さえが閉状態である場合には、ステップ６０４に進み、駆動回路２６０を制御してキャリッジを白基準板の下に移動させる。原稿押さえが閉状態で省電力状態に移行した場合には、原稿押さえが開かれて原稿が置かれ原稿押さえが閉じられる。原稿押さえが開かれたことが検知されて待機状態に移行するので、キャリッジを白基準板の下に移動させておいても、復帰時にキャリッジを原稿読取位置ＰＨに移動させて原稿サイズ検知を行う時間がある。次に、ステップ６０６で、画像形成装置１０の制御部２００に移行準備完了を通知して、ルーチンを終了する。
【００９６】
一方、原稿押さえが閉状態でない場合、即ち、原稿押さえが開状態の場合には、ステップ６０８に進み、駆動回路２６０を制御してキャリッジを原稿読取位置ＰＨに移動させる。原稿押さえが開状態で省電力状態に移行した場合には、原稿が置かれて原稿押さえが閉じられる。原稿押さえが閉じられたことが検知されて待機状態に移行するので、キャリッジを白基準板の下に移動させておいたのでは、復帰時にキャリッジを原稿読取位置ＰＨに移動させて原稿サイズ検知を行う時間が確保できないおそれがある。従って、キャリッジを原稿読取位置ＰＨに移動させておいて、原稿サイズ検知を確実に行えるようにする。次に、ステップ６０６で、画像形成装置１０の制御部２００に移行準備完了を通知して、ルーチンを終了する。
【００９７】
（スタンバイ状態への復帰）
次に、待機状態への復帰動作について説明する。
図１５は本発明の第３の実施の形態で実行される「待機状態復帰処理」の手順を示すフローチャートである。待機状態復帰処理は、制御部２１０のＣＰＵ２１０Ａにより実行される。待機状態復帰処理は、省電力状態となった後に開始される。
【００９８】
まず、ステップ７００で、画像形成装置１０の制御部２００から待機状態への復帰が指示されたか否かを判定する。待機状態への復帰が指示された場合には、ステップ７０２に進む。待機状態への復帰が指示されるまで、ステップ７００の判定を繰り返す。次に、ステッ７０２で、原稿押さえの開閉を検知する開閉検知部３０４から検知信号を取得したか否かを判定する。
【００９９】
開閉検知部３０４から検知信号を取得した場合には、ステップ７０４に進む。開閉検知部３０４から検知信号を取得していない場合には、ステップ７１４に進む。次に、ステップ７０４で、キャリッジが白基準板の下にあるか否かを判定する。キャリッジを白基準板の下にある場合には、ステップ７０６に進み、駆動回路２６０を制御してキャリッジを原稿読取位置に移動させる。一方、キャリッジが白基準板の下に無い場合、即ち、キャリッジが原稿読取位置にある場合には、ステップ７０８に進む。
【０１００】
次に、ステップ７０８で、前回のゲイン調整値をＡＧＣ回路２２２に設定し、次のステップ７１０で、前回のオフセット調整値をＡＯＣ回路２２４に設定する。次に、ステップ７１２で、原稿の大きさを検知する「原稿サイズ検知処理」を実行する。なお、原稿サイズ検知処理については、第１の実施の形態と同じ手順であるため説明を省略する。原稿サイズ検知処理が終了すると、次のステップ７１４に進む。また、ステップ７１４からステップ７３２までの手順は、図８のステップ２１０からステップ２２８までの手順と同じであるため説明を省略する。第３の実施の形態では、ステップ７３２で、復帰準備完了を画像形成装置１０の制御部２００に通知して、ルーチンを終了する。
【０１０１】
なお、上記各実施の形態で説明した画像形成装置、画像読取装置、プログラムの構成は一例であり、本発明の主旨を逸脱しない範囲内においてその構成を変更してもよいことは言うまでもない。
【０１０２】
例えば、上記各実施の形態では、オフセット調整値をＡＯＣ回路に設定する構成の例を記載したが、アナログ処理回路が光電変換素子の遮蔽画素を使用し、自動的に黒レベルの調整を行う構成もあり、前回のオフセット調整値を使用せず、アナログ処理回路に自動で黒レベルの調整を行わせる構成にしてもよい。
【符号の説明】
【０１０３】
１０   画像形成装置
１２   画像形成部
１００ 画像読取装置
１０４ 原稿台
１０６ 透過部材
１１４ ヒンジ部
１１６ 軸
１３０ 読取部
１３２ フルレートキャリッジ
１３４ ハーフレートキャリッジ
１３６ レンズ
１３８ 光電変換素子
１４０ 光源
１５０ 第１の白基準板
１５２ 第２の白基準板
１６０ 原稿搬送装置
１６２ 原稿台
１６４ 原稿搬送路
１６６ 排出台
１６８ 主搬送部
１８６ 搬送原稿読取位置
２００ 制御部
２０２ 画像読取制御部
２０４ 画像形成制御部
２０６ 通信部
２０８ 記憶部
２１０ 制御部
２２０ アナログ処理回路
２２２ ＡＧＣ回路
２２４ ＡＯＣ回路
２３０ Ａ/Ｄ変換回路
２４０ 画像処理回路
２４２ シェーディング補正回路
２５０ 駆動回路
２６０ 駆動回路
２７０ 駆動回路
３００ 電源回路部
３００ 電源管理部
３０２ 操作表示部
３０４ 開閉検知部
３０６ キャリッジ検知部
Ｄ     原稿
ＰＨ   原稿読取位置
ＰＳ   読取開始位置
【図１】
2014022997.tif 000003
【図２】
2014022997.tif 000004
【図３】
2014022997.tif 000005
【図４】
2014022997.tif 000006
【図５】
2014022997.tif 000007
【図６】
2014022997.tif 000008
【図７】
2014022997.tif 000009
【図８】
2014022997.tif 000010
【図９】
2014022997.tif 000011
【図１０】
2014022997.tif 000012
【図１１】
2014022997.tif 000013
【図１２】
2014022997.tif 000014
【図１３】
2014022997.tif 000015
【図１４】
2014022997.tif 000016
【図１５】
2014022997.tif 000017